【手続補正書】
【提出日】平成29年12月13日(2017.12.13)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
複数のエレメンタリストリームおよび複数の階層拡張記述子を備えるビデオデータストリームを受信することと、前記複数の階層拡張記述子のそれぞれの階層拡張記述子の各々は、前記複数のエレメンタリストリーム内のそれぞれのエレメンタリストリームに対応し、前記複数のストリームのそれぞれのストリームの各々は、ＭＰＥＧ−２システムにおける高効率ビデオコーディング（ＨＥＶＣ）拡張ビデオストリームであり、
バッファモデルにおいて、前記ビデオデータストリームの前記複数のエレメンタリストリームからアクセスユニット内のＨＥＶＣレイヤピクチャをアセンブルすることと、ここにおいて、
前記バッファモデルは、トランスポートストリームシステムターゲットデコーダモデルまたはプログラムストリームシステムターゲットデコーダモデルであり、
前記ビデオデータストリームは、トランスポートストリームまたはプログラムストリームであり、
前記エレメンタリストリームが異なる複数のタイプのマルチレイヤコード化ビットストリームのいずれかを含むかどうかにかかわらず、前記アクセスユニットをアセンブルするために同じバッファモデルが使用され、
前記アクセスユニットをアセンブルすることは、前記エレメンタリストリームに対応する前記階層拡張記述子内の１つまたは複数の値に基づいて、現在のオペレーションポイントの出力レイヤを復号するために必要とされる複数の参照レイヤを識別することを備え、
前記ビデオデータの１つまたは複数のピクチャを備える前記アクセスユニットを復号することと、
を備える方法。
【請求項２】
前記異なる複数のタイプのマルチレイヤコード化ビットストリームは、スケーラブル高効率ビデオコーディング（ＳＨＶＣ）、マルチビューＨＥＶＣ（ＭＶ−ＨＥＶＣ）、および３Ｄ−ＨＥＶＣのビットストリームを含む、請求項１に記載の方法。
【請求項３】
前記ビデオデータストリームのそれぞれのＨＥＶＣ積層ビデオストリームの各々について、前記バッファモデルの別々のインスタンスを使用して、アクセスユニットをアセンブルすること、
をさらに備え、
それぞれのＨＥＶＣ積層ビデオストリームの各々は、複数のＨＥＶＣビデオレイヤサブビットストリームを備え、
前記複数のＨＥＶＣビデオレイヤサブビットストリームのそれぞれのＨＥＶＣビデオレイヤサブビットストリームの各々は、同じレイヤ識別子値を有するビデオコーディングレイヤ（ＶＣＬ）ネットワークアブストラクションレイヤ（ＮＡＬ）ユニットを備える、
請求項１に記載の方法。
【請求項４】
前記ビデオデータストリームはプログラムを含み、
前記プログラムに関連付けられたそれぞれのエレメンタリストリームの各々について、
前記バッファモデルは、前記それぞれのエレメンタリストリームのためのバッファを備え、
前記アクセスユニットは、前記それぞれのエレメンタリストリームのためのそれぞれのＨＥＶＣレイヤピクチャサブセットを備え、
前記それぞれのＨＥＶＣレイヤピクチャサブセットは、それぞれのレイヤ識別子セットに関連付けられた前記アクセスユニットのＨＥＶＣレイヤピクチャを備え、
前記ＨＥＶＣレイヤピクチャの各々は、Ｒｅｃ．ＩＴＵ−Ｔ  Ｈ．２６５｜ＩＳＯ／ＩＥＣ２３００８−２の付属書類Ｆにおいて定義されているコード化ピクチャであり、
前記アクセスユニットをアセンブルすることは、前記プログラムに関連付けられたそれぞれのエレメンタリストリームの各々について、
前記それぞれのエレメンタリストリームのための前記バッファから、前記それぞれのエレメンタリストリームのための前記それぞれのＨＥＶＣレイヤピクチャサブセットを取り出すことと、
前記アクセスユニットに前記それぞれのＨＥＶＣレイヤピクチャサブセットを含めることと、
を備える、請求項１に記載の方法。
【請求項５】
前記ビデオデータストリームはトランスポートストリームであり、
前記プログラムに関連付けられたそれぞれのエレメンタリストリームの各々について、
前記それぞれのエレメンタリストリームのための前記バッファは、前記それぞれのエレメンタリストリームのための第１のバッファであり、
前記バッファモデルは、前記それぞれのエレメンタリストリームのための第２のバッファを備え、
前記方法は、前記それぞれのエレメンタリストリームに属する前記トランスポートストリームのそれぞれのパケット化エレメンタリストリーム（ＰＥＳ）パケットの各々について、前記それぞれのエレメンタリストリームのための前記第２のバッファに前記それぞれのＰＥＳパケットを記憶することをさらに備える、
請求項４に記載の方法。
【請求項６】
前記プログラムに関連付けられたそれぞれのエレメンタリストリームの各々について、
前記バッファモデルは、前記それぞれのエレメンタリストリームのための第３のバッファを備え、
前記方法は、
前記それぞれのエレメンタリストリームのための前記第２のバッファからＰＥＳパケットを取り出すことと、
前記それぞれのエレメンタリストリームのための前記第２のバッファから取り出された前記ＰＥＳパケットを、前記それぞれのエレメンタリストリームのための前記第３のバッファに記憶することと、
前記それぞれのエレメンタリストリームのための前記第３のバッファからバイトを取り出すことと、
前記それぞれのエレメンタリストリームのための前記第３のバッファから取り出された前記バイトを、前記それぞれのエレメンタリストリームのための前記第１のバッファに記憶することと、
さらに備える、請求項５に記載の方法。
【請求項７】
前記ビデオデータストリームはプログラムを含み、
前記方法は、前記プログラム内にＨＥＶＣレイヤのセットが存在することと、ＩＴＵ−Ｔ  Ｒｅｃ．Ｈ．２６５｜ＩＳＯ／ＩＥＣ２３００８−２の付属書類Ｇまたは付属書類Ｈにおいて定義されている１つまたは複数のプロファイルに準拠するＨＥＶＣ拡張ビデオストリームである前記複数のエレメンタリストリーム内に、少なくとも１つのＨＥＶＣ積層ビデオサブビットストリームが存在することとを決定することに応答して、前記アクセスユニットをアセンブルする際に使用するために、前記バッファモデルを選択することをさらに備える、
請求項１に記載の方法。
【請求項８】
複数のエレメンタリストリームおよび複数の階層拡張記述子を備えるビデオデータストリームを受信するための手段と、前記複数の階層拡張記述子のそれぞれの階層拡張記述子の各々は、前記複数のエレメンタリストリーム内のそれぞれのエレメンタリストリームに対応し、前記複数のストリームのそれぞれのストリームの各々は、ＭＰＥＧ−２システムにおける高効率ビデオコーディング（ＨＥＶＣ）拡張ストリームであり、
バッファモデルにおいて、前記ビデオデータストリームの前記複数のエレメンタリストリームからアクセスユニット内のＨＥＶＣレイヤピクチャをアセンブルするための手段と、ここにおいて、
前記バッファモデルは、トランスポートストリームシステムターゲットデコーダモデルまたはプログラムストリームシステムターゲットデコーダモデルであり、
前記ビデオデータストリームは、トランスポートストリームまたはプログラムストリームであり、
前記エレメンタリストリームが異なる複数のタイプのマルチレイヤコード化ビットストリームのいずれかを含むかどうかにかかわらず、前記アクセスユニットをアセンブルするために同じバッファモデルが使用され、
前記アクセスユニットをアセンブルすることは、前記エレメンタリストリームに対応する前記階層拡張記述子内の１つまたは複数の値に基づいて、現在のオペレーションポイントの出力レイヤを復号するために必要とされる複数の参照レイヤを識別することを備え、
前記ビデオデータの１つまたは複数のピクチャを備える前記アクセスユニットを復号するための手段と、
を備える、ビデオ復号デバイス。
【請求項９】
前記異なる複数のタイプのマルチレイヤコード化ビットストリームは、スケーラブル高効率ビデオコーディング（ＳＨＶＣ）、マルチビューＨＥＶＣ（ＭＶ−ＨＥＶＣ）、および３Ｄ−ＨＥＶＣのビットストリームを含む、請求項８に記載のビデオ復号デバイス。
【請求項１０】
前記ビデオデータストリームのそれぞれのＨＥＶＣ積層ビデオストリームの各々について、前記バッファモデルの別々のインスタンスを使用して、アクセスユニットをアセンブルするための手段をさらに備え、
それぞれのＨＥＶＣ積層ビデオストリームの各々は、複数のＨＥＶＣビデオレイヤサブビットストリームを備え、
前記複数のＨＥＶＣビデオレイヤサブビットストリームのそれぞれのＨＥＶＣビデオレイヤサブビットストリームの各々は、同じレイヤ識別子値を有するビデオコーディングレイヤ（ＶＣＬ）ネットワークアブストラクションレイヤ（ＮＡＬ）ユニットを備える、
請求項８に記載のビデオ復号デバイス。
【請求項１１】
前記ビデオデータストリームはプログラムを含み、
前記プログラムに関連付けられたそれぞれのエレメンタリストリームの各々について、
前記バッファモデルは、前記それぞれのエレメンタリストリームのためのバッファを備え、
前記アクセスユニットは、前記それぞれのエレメンタリストリームのためのそれぞれのＨＥＶＣレイヤピクチャサブセットを備え、
前記それぞれのＨＥＶＣレイヤピクチャサブセットは、それぞれのレイヤ識別子セットに関連付けられた前記アクセスユニットのＨＥＶＣレイヤピクチャを備え、
前記ＨＥＶＣレイヤピクチャの各々は、Ｒｅｃ．ＩＴＵ−Ｔ  Ｈ．２６５｜ＩＳＯ／ＩＥＣ２３００８−２の付属書類Ｆにおいて定義されているコード化ピクチャであり、
前記アクセスユニットをアセンブルすることは、前記プログラムに関連付けられたそれぞれのエレメンタリストリームの各々について、
前記それぞれのエレメンタリストリームのための前記バッファから、前記それぞれのエレメンタリストリームのための前記それぞれのＨＥＶＣレイヤピクチャサブセットを取り出すことと、
前記アクセスユニットに前記それぞれのＨＥＶＣレイヤピクチャサブセットを含めることと
を備える、請求項８に記載のビデオ復号デバイス。
【請求項１２】
前記ビデオデータストリームはトランスポートストリームであり、
前記プログラムに関連付けられたそれぞれのエレメンタリストリームの各々について、
前記それぞれのエレメンタリストリームのための前記バッファは、前記それぞれのエレメンタリストリームのための第１のバッファであり、
前記バッファモデルは、前記それぞれのエレメンタリストリームのための第２のバッファを備え、
前記ビデオ復号デバイスは、前記それぞれのエレメンタリストリームに属する前記トランスポートストリームのそれぞれのパケット化エレメンタリストリーム（ＰＥＳ）パケットの各々について、前記それぞれのエレメンタリストリームのための前記第２のバッファに前記それぞれのＰＥＳパケットを記憶するための手段をさらに備える、
請求項１１に記載のビデオ復号デバイス。
【請求項１３】
前記プログラムに関連付けられたそれぞれのエレメンタリストリームの各々について、
前記バッファモデルは、前記それぞれのエレメンタリストリームのための第３のバッファを備え、
前記ビデオ復号デバイスは、
前記それぞれのエレメンタリストリームのための前記第２のバッファからＰＥＳパケットを取り出すための手段と、
前記それぞれのエレメンタリストリームのための前記第２のバッファから取り出された前記ＰＥＳパケットを、前記それぞれのエレメンタリストリームのための前記第３のバッファに記憶するための手段と、
前記それぞれのエレメンタリストリームのための前記第３のバッファからバイトを取り出すための手段と、
前記それぞれのエレメンタリストリームのための前記第３のバッファから取り出された前記バイトを、前記それぞれのエレメンタリストリームのための前記第１のバッファに記憶するための手段と、
をさらに備える、請求項１２に記載のビデオ復号デバイス。
【請求項１４】
前記ビデオデータストリームはプログラムを含み、
前記ビデオ復号デバイスは、前記プログラム内にＨＥＶＣレイヤのセットが存在することと、ＩＴＵ−Ｔ  Ｒｅｃ．Ｈ．２６５｜ＩＳＯ／ＩＥＣ２３００８−２の付属書類Ｇまたは付属書類Ｈにおいて定義されている１つまたは複数のプロファイルに準拠するＨＥＶＣ拡張ビデオストリームである前記複数のエレメンタリストリーム内に、少なくとも１つのＨＥＶＣ積層ビデオサブビットストリームが存在することとを決定することに応答して、前記アクセスユニットをアセンブルする際に使用するために、前記バッファモデルを選択するための手段をさらに備える、
請求項８に記載のビデオ復号デバイス。
【請求項１５】
実行されると、ビデオ復号デバイスに、請求項１乃至７のいずれか１つに記載の方法を行わせる命令を記憶した、コンピュータ可読データ記憶媒体。